(57)【要約】【課題】最小スペースで安定状態に積み重ねて梱包できる枠組足場用階段を提供する。【解決手段】傾斜状に配置される左右一対の側枠１，１間に、踏み板２を、各踏み板２の左右両端面２ａ，２ａが両側枠１，１の内側面に当接し且つ各踏み板２の前後側端部２ｂ，２ｃが側枠１から前後方向に突出するように水平姿勢で一定間隔に取り付け、各側枠１の上端部及び下端部には端部キャップ３，４を被着すると共に掛止用フック５，６を取り付けてなる枠組足場用階段Ｋ１であって、各下端側端部キャップ４は、側枠１の下端部を被包するように形成されていると共に、各端部キャップ４を上下垂直方向に揃えて階段Ｋ１を積み重ねる時に下段側階段Ｋ１の最下端側踏み板２の前端部２ｂが上段側階段Ｋ１の端部キャップ４に干渉しないように、側枠１下端部の内側面Ｗａを被う内側面被い部４Ｗａの後端側に踏み板前端受け入れ部９を形成する。【選択図】図５
2006241674.tif 000002
【特許請求の範囲】
【請求項１】
傾斜状に配置される夫々断面外向きコ字状の左右一対の側枠間に、踏み板を、各踏み板の左右両端面が両側枠の内側面に当接し且つ各踏み板の前後側端部が側枠から前後方向に突出するように夫々水平姿勢で一定間隔に取り付け、各側枠の上端部及び下端部には夫々端部キャップを被着すると共に掛止用フックを取り付けてなる枠組足場用階段において、各側枠の下端部に被着される端部キャップは、側枠の下端部を被包するように形成されていると共に、各端部キャップを上下垂直方向に揃えて階段を積み重ねる時に下段側階段の最下端側踏み板の前端部が上段側階段の端部キャップに干渉しないように、側枠下端部の内側面を被う内側面被い部の後端側に踏み板前端受け入れ部を形成してなることを特徴とする枠組足場用階段。
【請求項２】
各側枠の下端部に被着される端部キャップは、ウエブと前後両フランジとからなる側枠の下端部のウエブ内側面部を被うウエブ内側面被い部と、ウエブ外側面部を被うウエブ外側面被い部と、ウエブの下端面を被うウエブ下端面被い部と、両フランジを夫々被うフランジ被い部とからなるもので、ウエブ内側面被い部の後端側に踏み板前端受け入れ部を形成し、ウエブ内側面被い部とウエブ外側面被い部とを貫通するキャップ取付用ボルト挿通孔を設け、ウエブ下端面被い部には掛止用フックのシャンクが挿入するシャンク挿通孔を設けてなる請求項１に記載の枠組足場用階段。
【発明の詳細な説明】
【技術分野】
【０００１】
本発明は、建設作業現場の枠組足場に使用される階段に関するものである。
【背景技術】
【０００２】
図６及び図７に示すように、枠組足場用階段Ｋ２は、傾斜状に配置される左右一対の側枠１，１に、踏み板２を、各踏み板２の左右両端面２ａ，２ａが両側枠１，１の内側面に当接し且つ各踏み板２の前後側端部２ｂ，２ｃが側枠１から前後方向に突出するように夫々水平姿勢で一定間隔に取り付けられ、そして各側枠１の上端部及び下端部には夫々端部キャップ２３，２４が被着されると共に掛止用フック５，６が取り付けられている。各掛止用フック５，６は、図６に示すような枠組足場Ｗの建枠７の横材８に掛止されるようになっている。尚、この図６では、下端側の掛止用フック６は床面に接地されている。各側枠１は、図８に示すように、ウエブＷと前後両フランジＦ，Ｆとによって断面コ字状に形成されるアルミ押出型材からなる。
【０００３】
図８は従来の枠組足場用階段Ｋ２における各側枠１の下端部に被着される端部キャップ２４を示すもので、側枠１の下端部のウエブＷの内側面部を被うウエブ内側面被い部２４Ｗａと、ウエブＷの外側面部を被うウエブ外側面被い部２４Ｗｂと、ウエブＷの下端面を被うウエブ下端面被い部２４Ｚと、両フランジＦ，Ｆを夫々被うフランジ被い部２４Ｆａ，２４Ｆｂとからなり、ウエブ内側面被い部２４Ｗａとウエブ外側面被い部２４Ｗｂとは同じ形状となっており、そしてウエブ内側面被い部２４Ｗａ及びウエブ外側面被い部２４Ｗｂは、夫々前端部から後端部へ向かって漸次高さが高くなっている。また、ウエブ下端面被い部２４Ｚには掛止用フックのシャンクが挿入するシャンク挿通孔２９が設けられ、このシャンク挿通孔２９の両側はウエブ内側面被い部２４Ｗａとウエブ外側面被い部２４Ｗｂとに亘って切欠開口しており、その切欠開口部を３０で示す。
【発明の開示】
【発明が解決しようとする課題】
【０００４】
従来の枠組足場用階段Ｋ２において、各側枠１の上端部に被着される端部キャップ２３は問題にならないが、下端部に被着される端部キャップ２４は、図７から分かるように、ウエブ内側面被い部２４Ｗａとウエブ外側面被い部２４Ｗｂとが同じ形状で、ウエブ内側面被い部２４Ｗａ及びウエブ外側面被い部２４Ｗｂは、夫々前端部から後端部へ向かって漸次高さが高くなっていることから、図１０の(a) ，(b) に示すように、階段Ｋ２を上下複数段に積み重ねる時に、上下に隣合う階段Ｋ，Ｋ相互間において下段側階段Ｋ２の最下端側踏み板２の前端部２ｂが上段側階段Ｋ２の端部キャップ２４に干渉し、それがために最下段の階段Ｋ２上に順次積み重ねられる階段Ｋ２が図示のように少しずつ前方へずれて積み重ねられ、それによって階段積み重ね体の前後端部が傾斜状となり、梱包する場合に余計に場所をとることになる上に、不安定な積み重ね状態となって、高く積み上げた場合には崩れる危険性もあった。
【０００５】
本発明は、上記の課題に鑑み、階段を積み重ねる時に各階段の前後端部を上下垂直方向に揃えることができ、それによって最小スペースで且つ安定状態に積み重ねて梱包できるようにした枠組足場用階段を提供することを目的とする。
【課題を解決するための手段】
【０００６】
上記課題を解決するための手段を、後述する実施形態の参照符号を付して説明すると、請求項１に係る発明は、図２及び図５の(a) 〜(c) から分かるように、傾斜状に配置される夫々断面外向きコ字状の左右一対の側枠１，１間に、踏み板２を、各踏み板２の左右両端面２ａ，２ａが両側枠１，１の内側面に当接し且つ各踏み板２の前後側端部２ｂ，２ｃが側枠１から前後方向に突出するように夫々水平姿勢で一定間隔に取り付け、各側枠１の上端部及び下端部には夫々端部キャップ３，４を被着すると共に掛止用フック５，６を取り付けてなる枠組足場用階段Ｋ１において、各側枠１の下端部に被着される端部キャップ４は、側枠１の下端部を被包するように形成されていると共に、各端部キャップ４を上下垂直方向に揃えて階段Ｋ１を積み重ねる時に下段側階段Ｋ１の最下端側踏み板２の前端部２ｂが上段側階段Ｋ１の端部キャップ４に干渉しないように、側枠１下端部の内側面Ｗａを被う内側面被い部４Ｗａの後端側に踏み板前端受け入れ部９を形成してなることを特徴としている。
【０００７】
請求項２は、請求項１に記載の枠組足場用階段において、各側枠１の下端部に被着される端部キャップ４は、ウエブＷと前後両フランジＦ，Ｆとからなる側枠１の下端部のウエブ内側面Ｗａを被うウエブ内側面被い部４Ｗａと、ウエブ外側面Ｗｂを被うウエブ外側面被い部４Ｗｂと、ウエブＷの下端面を被うウエブ下端面被い部４Ｚと、両フランジＦ，Ｆを夫々被うフランジ被い部４Ｆａ，４Ｆｂとからなるもので、ウエブ内側面被い部４Ｗａの後端側に踏み板前端受け入れ部９を形成し、ウエブ内側面被い部４Ｗａとウエブ外側面被い部４Ｗｂとを貫通するキャップ取付用ボルト挿通孔１０を設け、ウエブ下端面被い部４Ｚには掛止用フック６のシャンク６ｏが挿入するシャンク挿通孔１１を設けてなることを特徴とする
【発明の効果】
【０００８】
上記解決手段による発明の効果を、後述する実施形態の参照符号を付して説明すると、請求項１に係る発明によれば、各側枠１の下端部に被着される端部キャップ４は、各端部キャップ４を上下垂直方向に揃えて階段Ｋ１を積み重ねる時に下段側階段Ｋ１の最下端側踏み板２の前端部２ｂが上段側階段Ｋ１の対応する端部キャップ４に干渉しないように、側枠１の下端部の内側面部を被う内側面被い部４Ｗａの後端側に踏み板前端受け入れ部９を形成しているから、図５の(c) に示すように階段Ｋ１を積み重ねる時、下段側階段Ｋ１の最下端側踏み板２の前端部２ｂは、この階段Ｋ１上に積み重ねられる上段側階段Ｋ１の対応する端部キャップ４に干渉されずに、この端部キャップ４の踏み板前端受け入れ部９に受け入れられ、これによって上下に隣り合う端部キャップ４，４の側枠１，１どうしが互いに重なり合った状態で、各階段Ｋ１の下端側端部キャップ４が上下垂直方向に揃い、従って多数の階段Ｋ１を最小スペースで且つ安定状態に積み重ねることができて、有効に梱包することができるようになる。
【０００９】
請求項２に係る発明によれば、端部キャップ４は、側枠１の下端部のウエブ内側面Ｗａを被うウエブ内側面被い部４Ｗａと、ウエブ外側面Ｗｂを被うウエブ外側面被い部４Ｗｂと、ウエブＷの下端面を被うウエブ下端面被い部４Ｚと、両フランジＦ，Ｆを夫々被うフランジ被い部４Ｆａ，４Ｆｂとからなるため、合成樹脂で一体形成することにより、製作が容易で安価に提供できると共に、ウエブ内側面被い部４Ｗａ及びウエブ外側面被い部４Ｗｂのボルト挿通孔１０にボルト１３を通すことによって、端部キャップ４を側枠１の下端部に確実強固に固定することができ、またこのボルト挿通孔１０を使用して、掛止用フック６のシャンク６ｏを、同じボルト１３で側枠１に固定することができる。
【発明を実施するための最良の形態】
【００１０】
以下に本発明の好適実施形態を図１〜図５に基づいて説明すると、図１は、図６で説明した階段Ｋ２と同様に枠組足場に使用される枠組足場用階段Ｋ１を使用状態と同じ傾斜姿勢で示す側面図、図２は図１の矢印イで示す部分の拡大斜視図である。この階段Ｋ１は、傾斜状に配置される左右一対の側枠１，１に、踏み板２を、各踏み板２の左右両端面２ａ，２ａが両側枠１，１の内側面に当接し且つ各踏み板２の前後側端部２ｂ，２ｃが側枠１から前後方向に突出するように夫々水平姿勢で一定間隔に取り付けられており、そして各側枠１の上端部及び下端部には夫々端部キャップ３，４が被着されると共に掛止用フック５，６が取り付けられている。各側枠１は、図８に示すように、ウエブＷと前後両フランジＦ，Ｆとによって断面コ字状に形成されるアルミ押出型材からなる。
【００１１】
左右各側枠１の下端部に被着される端部キャップ４は、側枠１の下端部を被包するように形成されていると共に、各端部キャップ４は、各階段Ｋ１の端部キャップ４を上下垂直方向に揃えて側枠１，１どうしが上下に重合するように階段Ｋ１を積み重ねる時に下段側階段Ｋ１の最下端側踏み板２の前端部２ｂが上段側階段Ｋ１の端部キャップ４に干渉しないように、側枠１の下端部の内側面部を被う内側面被い部４Ｗａの後端側を切除して、その切除部分が踏み板前端受け入れ部９を形成している点に大きな特徴を有する。
【００１２】
この下端部側の端部キャップ４の構造を図３及び図４によって詳細に説明すれば、先ず図３の(a) は端部キャップ４を階段Ｋ１の内側から見た正面図、(b) はその平面図、(c)
はその右側面図であり、図４の(a) は同じ端部キャップ４を階段Ｋ１の外側から見た正面図、(b) はその底面図、(c) は図３の(b) のロ−ロ線断面図、(d) は図４の(a) のハ−ハ線拡大断面図である。
【００１３】
これらの図面を参照して分かるように、側枠１下端部に被着される端部キャップ４は、例えばナイロンによって一体形成されたもので、ウエブＷと前後両フランジＦ，Ｆとからなる側枠１の下端部のウエブ内側面Ｗａを被うウエブ内側面被い部４Ｗａと、側枠１の下端部のウエブ外側面Ｗｂを被うウエブ外側面被い部４Ｗｂと、ウエブＷの下端面を被うウエブ下端面被い部４Ｚと、両フランジＦ，Ｆを夫々被うフランジ被い部４Ｆａ，４Ｆｂとにより構成されていて、ウエブ内側面被い部４Ｗａの後端側に踏み板前端受け入れ部９を形成している。
【００１４】
この端部キャップ４にはまた、ウエブ内側面被い部４Ｗａとウエブ外側面被い部４Ｗｂとを貫通するキャップ取付用ボルト挿通孔１０が設けられ、ウエブ下端面被い部４Ｚには掛止用フック６のシャンク６ｏが挿入するシャンク挿通孔１１が設けられている。このキャップ取付用ボルト挿通孔１０は、端部キャップ４を側枠１の下端部に取り付けると同時にこの側枠１下端部に掛止用フック６を取り付けるためのボルト１３を挿通するものである。またシャンク挿通孔１１は、側枠１の下端部に掛止用フック６を取り付けるために掛止用フック６のシャンク６ｏを挿入させるものである。
【００１５】
また、ウエブ下端面被い部４Ｚとフランジ被い部４Ｆｂとのコーナー部、即ち隅部は、図３の(a) に示すように斜めに切除されて隅抜き部１２を形成し、しかしてこの隅抜き部１２の側枠長さ方向の幅αは、フランジ被い部４Ｆａの幅βより僅かに広くなっている。このように隅抜き部１２を形成して、その側枠長さ方向幅αフランジ被い部４Ｆａの幅βより広くするのは、図５の(c) から分かるように、階段Ｋ１を積み重ねる時に下段側階段Ｋ１の端部キャップ４のフランジ被い部４Ｆａが上段側階段Ｋ１の端部キャップ４のフランジ被い部４Ｆｂと重なり合わないようにするためであり、これにより上下に隣り合う階段Ｋ１，Ｋ１の側枠１，１間の隙間を極力少なくして、有効に積み重ねることができる。この隅抜き部１２に対応する側枠１の下端部分は、図３の(a) に仮想線で示すように斜めに切除されており、その切除部分を１ｏで示す。
【００１６】
上記のように構成される端部キャップ４を各側枠１の下端部に被着するには、この端部キャップ４を側枠１の下端部に外嵌して、図３の(b) に示すように、側枠１下端部のウエブ内側面Ｗａ及びウエブ外側面Ｗｂをウエブ内側面被い部４Ｗａ及びウエブ外側面被い部４Ｗｂで被い、ウエブＷの下端面をウエブ下端面被い部４Ｚで被い、両フランジＦ，Ｆを夫々被うフランジ被い部４Ｆａ，４Ｆｂで被った状態とし、そしてウエブ下端面被い部４Ｚのシャンク挿通孔１１より掛止用フック６のシャンク６ｏを側枠１下端部のウエブ外側面Ｗｂに沿うように挿入する。
【００１７】
しかして、ウエブ内側面被い部４Ｗａのボルト挿通孔１０からシャンク６ｏのボルト挿通孔（図示せず）及びウエブ外側面被い部４Ｗｂのボルト挿通孔１０に亘ってボルト１３を挿通し、このボルト１３にウエブ外側面Ｗｂからナット１４を螺合して締め付け、これによって端部キャップ４を側枠１の下端部に固定する。この後、シャンク６ｏの後端部を側枠１にボルト１５止めして、掛止用フック６を側枠１の下端部に固定する。図２は、このようにして端部キャップ４を掛止用フック６と共に側枠１の下端部に取り付けた状態を拡大して示したものである。
【００１８】
各側枠１の上端部に取り付けられる端部キャップ３については、上述した端部キャップ４と同じ構成であるため、その説明を省略する。
【００１９】
図５の(a) は上述した本発明に係る枠組足場用階段Ｋ１を複数段状に積み重ねた状態を示す平面図、(b) は正面図、(c) は(b) の一部拡大図である。これらの図面から分かるように、本発明に係る枠組足場用階段Ｋ１によれば、各側枠１の下端部に被着される端部キャップ４は、各端部キャップ４を上下垂直方向に揃えて側枠１どうしが上下に重なり合うように階段Ｋ１を積み重ねる時に下段側階段Ｋ１の最下端側踏み板２の前端部２ｂが上段側階段Ｋ１の対応する端部キャップ４に干渉しないように、側枠１の下端部の内側面部を被う内側面被い部４Ｗａの後端側を切除して、その切除部分が踏み板前端受け入れ部９を形成しているから、下段側階段Ｋ１の最下端側踏み板２の前端部２ｂは、この階段Ｋ１上に積み重ねられる上段側階段Ｋ１の対応する端部キャップ４に干渉されずに、この端部キャップ４の踏み板前端受け入れ部９に受け入れられ、それによって各階段Ｋ１は、図５の(c) に示すように、各端部キャップが上下垂直方向に揃った状態に何段にもに積み重ねられる。
【００２０】
また、この端部キャップ４では、ウエブ下端面被い部４Ｚとフランジ被い部４Ｆｂとのコーナー部が斜めに切除されて隅抜き部１２を形成しているから、階段Ｋ１を積み重ねる時に下段側階段Ｋ１の端部キャップ４のフランジ被い部４Ｆａが上段側階段Ｋ１の端部キャップ４のフランジ被い部４Ｆｂと重なり合わず、これにより上下に隣り合う階段Ｋ１，Ｋ１の側枠１，１間の隙間を極力少なくして、階段Ｋ１どうしを殆ど密接状態で有効に積み重ねることができる。
【００２１】
上記のように、積み重ねられる複数の階段Ｋ１は、図５の(b) 及び(c) に示すように、上下に隣り合う端部キャップ４，４の側枠１，１どうしが互いに重なり合った状態で、各階段Ｋ１の下端側端部キャップ４が上下垂直方向に揃い、同時にまた各階段Ｋ１の上端側端部キャップ３も同様に上下垂直方向に揃うことになり、これにより最小スペースで且つ安定状態に積み重ねられて、有効に梱包できるようになる。
【００２２】
また、この端部キャップ４は、ナイロン等の合成樹脂で一体形成されたもので、側枠１の下端部のウエブ内側面Ｗａを被うウエブ内側面被い部４Ｗａと、ウエブ外側面Ｗｂを被うウエブ外側面被い部４Ｗｂと、ウエブＷの下端面を被うウエブ下端面被い部４Ｚと、両フランジＦ，Ｆを夫々被うフランジ被い部４Ｆａ，４Ｆｂとからなり、ウエブ内側面被い部４Ｗａの後端側に踏み板前端受け入れ部９を形成し、ウエブ内側面被い部４Ｗａとウエブ外側面被い部４Ｗｂとを貫通するキャップ取付用ボルト挿通孔１０を設け、ウエブ下端面被い部４Ｚには掛止用フック６のシャンク６ｏが挿入するシャンク挿通孔１１を設けているから、製作容易で安価に提供できると共に、ウエブ内側面被い部４Ｗａ及びウエブ外側面被い部４Ｗｂのボルト挿通孔１０にボルト１３を通すことによって、端部キャップ４を側枠１の下端部に固定することができ、またこのボルト挿通孔１０を使用して、掛止用フック６のシャンク６ｏを、同じボルト１３で側枠１に固定することができる。
【図面の簡単な説明】
【００２３】
【図１】図６で説明した階段と同様に枠組足場に使用される枠組足場用階段を使用状態と同じ傾斜姿勢で示す側面図である。
【図２】図１の矢印イで示す部分の拡大斜視図である。
【図３】(a) は端部キャップを階段の内側から見た正面図、(b) はその平面図、(c)はその右側面図である。
【図４】(a) は同じ端部キャップを階段Ｋの外側から見た正面図、(b) はその底面図、(c) は図３の(b) のロ−ロ線断面図、(d) は図４の(a) のハ−ハ線拡大断面図である。
【図５】(a) は上述した本発明に係る枠組足場用階段を複数段状に積み重ねた状態を示す平面図、(b) は正面図、(c) は(b) の一部拡大図である。
【図６】枠組足場階段の使用状態を示す斜視図である。
【図７】従来の枠組足場用階段を示す要部拡大斜視図である。
【図８】階段の側枠を示す横断面図である。
【図９】(a) は従来の枠組足場用階段に使用されている下端側端部キャップの正面図、(b) はその平面図、(c) は(a) のホ−ホ線断面図である。
【図１０】従来の枠組足場用階段を複数段状に積み重ねた状態を示す正面図、(b) は (b)の一部拡大図である。
【符号の説明】
【００２４】
Ｋ１          階段
１            側枠
Ｗ            側枠のウエブ
Ｆ            側枠のフランジ
２            踏み板
３            上端側端部キャップ
４            下端側端部キャップ
４Ｗａ        下端側端部キャップのウエブ内側面被い部
４Ｗｂ        下端側端部キャップのウエブ外側面被い部
４Ｆａ        フランジ被い部
４Ｆｂ        フランジ被い部
４Ｚ          ウエブ下端面被い部
５，６        掛止用フック
９            踏み板前端受け入れ部
１０          キャップ取付用ボルト挿通孔
【図１】
2006241674.tif 000003
【図２】
2006241674.tif 000004
【図３】
2006241674.tif 000005
【図４】
2006241674.tif 000006
【図５】
2006241674.tif 000007
【図６】
2006241674.tif 000008
【図７】
2006241674.tif 000009
【図８】
2006241674.tif 000010
【図９】
2006241674.tif 000011
【図１０】
2006241674.tif 000012